(57)【特許請求の範囲】
【請求項１】
エレベーターの乗場またはかごに設けられ、光を透過する材料で形成された表示体と、
光を発する光源と、
反射体と、
を備え、
前記表示体は、
平面状に形成された第１表示部と、
平面状に形成され、前記第１表示部に対して角度をつけて連結された第２表示部と、
を備え、
前記反射体は、
前記第１表示部の一側であって、かつ前記第２表示部と対向する側に配置されると共に、前記光源を前記第１表示部の奥に支持する一側面と、
前記光源が発した光を反射して、前記第１表示部と前記第２表示部とに照射させる湾曲部と、
を備えたエレベーターの発光器具。
【請求項２】
前記光源は、前記表示体の方向とは異なる方向に光を発する請求項１に記載のエレベーターの発光器具。
【請求項３】
前記湾曲部は、
曲率が互いに異なる湾曲面をそれぞれ有した請求項１または請求項２に記載のエレベーターの発光器具。
【発明の詳細な説明】
【技術分野】
【０００１】
この本開示は、エレベーターの発光器具に関する。
【背景技術】
【０００２】
特許文献１は、エレベーターの発光器具を開示する。発光器具によれば、光源の数を増やすことなく、光のむらを抑制し得る。
【先行技術文献】
【特許文献】
【０００３】
【特許文献１】国際公開第２０１６／０９２６３１号
【発明の概要】
【発明が解決しようとする課題】
【０００４】
しかしながら、特許文献１に記載の発光器具においては、反射カバーとフィルタと反射体とが必要となる。このため、発光器具の部品点数が増える。
【０００５】
本開示は、上述の課題を解決するためになされた。この発明の目的は、部品点数が少なくても、光のむらを抑制することができるエレベーターの発光器具を提供することである。
【課題を解決するための手段】
【０００６】
本開示に係るエレベーターの発光器具は、エレベーターの乗場またはかごに設けられ、光を透過する材料で形成された表示体と、光を発する光源と、反射体とを備えた。表示体は、平面状に形成された第１表示部と、平面状に形成され、第１表示部に対して角度をつけて連結された第２表示部と、を備えた。反射体は、第１表示部の一側であって、かつ第２表示部と対向する側に配置されると共に、光源を第１表示部の奥に支持する一側面と、光源が発した光を反射して、第１表示部と第２表示部とに照射させる湾曲部と、を備えた。
【発明の効果】
【０００８】
本開示によれば、反射体は、光源が発した光を湾曲面で反射して表示体に照射させる。このため、部品点数が少なくても、光のむらを抑制することができる。
【図面の簡単な説明】
【０００９】
【図１】実施の形態１におけるエレベーターの発光器具が適用されるエレベーターの乗場の正面図である。
【図２】実施の形態１におけるエレベーターの発光器具としてのホールランタンの斜視図である。
【図３】図２のＡ−Ａ線における断面の要部を示す断面図である。
【図４】実施の形態２におけるエレベーターの発光器具としてのホールランタンの斜視図である。
【図５】図４のＢ−Ｂ線における断面の要部を示す断面図である。
【図６】実施の形態３におけるエレベーターの発光器具としてのホールランタンの斜視図である。
【図７】図６のＣ−Ｃ線における断面の要部を示す断面図である。
【図８】実施の形態４におけるエレベーターの発光器具としてのホールランタンの要部を示す断面図である。
【発明を実施するための形態】
【００１０】
実施の形態について添付の図面に従って説明する。なお、各図中、同一または相当する部分には同一の符号が付される。当該部分の重複説明は適宜に簡略化ないし省略される。
【００１１】
実施の形態１．
図１は実施の形態１におけるエレベーターの発光器具が適用されるエレベーターの乗場の正面図である。
【００１２】
図１において、図示されない昇降路は、建築物の各階を貫く。図示されないかごは、昇降路の内部に設けられる。乗場１は、建築物の各階に設けられる。各乗場１は、昇降路に対向する。壁２は、昇降路と乗場１とを隔てる。乗場出入口３は、壁２に形成される。例えば、一対の乗場出入口３は隣接する。三方枠４は、乗場出入口３の縁部に嵌められる。乗場ドア５は、乗場出入口３を開閉し得るように設けられる。
【００１３】
発光器具は、各乗場１に設けられる。例えば、乗場ボタン６は、発光器具として壁２に設けられる。例えば、乗場ボタン６は、一対の乗場出入口３の間に設けられる。例えば、ホールランタン７は、発光器具として壁２に設けられる。例えば、ホールランタン７の各々は、各乗場出入口３の上部の一側に隣接する。
【００１４】
乗場ボタン６が押されると、乗場呼びが登録される。この際、乗場ボタン６は点灯する。利用者は、乗場ボタン６の点灯により乗場呼びが登録されたことを把握する。かごは、当該乗場呼びに応じて乗場１に向かう。ホールランタン７は、かごが到着する際に点灯する。利用者は、ホールランタン７の点灯によりかごが到着することを把握する。
【００１５】
次に、図２を用いて、ホールランタン７を説明する。
図２は実施の形態１におけるエレベーターの発光器具としてのホールランタンの斜視図である。
【００１６】
図２に示されるように、ホールランタン７は、筐体８と表板９と上側表示体１０と下側表示体１１と上側光源１２と下側光源１３と上側反射体１４と下側反射体１５とを備える。
【００１７】
筐体８は、箱状に形成される。筐体８は、ホールランタン７の外郭をなす。
【００１８】
表板９は、板状に形成される。例えば、表板９は、矩形状に形成される。表板９は、筐体８の前方を塞ぐ。表板９は、ホールランタン７の意匠面の一部となる。
【００１９】
上側表示体１０は、光を透過する材料で形成される。例えば、上側表示体１０は、矩形状に形成される。上側表示体１０は、表板９の上部に設けられる。上側表示体１０は、表板９から前方に突き出す。
【００２０】
下側表示体１１は、光を透過する材料で形成される。例えば、下側表示体１１は、矩形状に形成される。下側表示体１１は、表板９の下部に設けられる。下側表示体１１は、表板９から前方に突き出す。
【００２１】
上側光源１２は、光を発するように設けられる。例えば、上側光源１２は、発光ダイオードである。上側光源１２は、筐体８の内部に設けられる。上側光源１２は、上側表示体１０の一側の奥に配置される。
【００２２】
下側光源１３は、光を発するように設けられる。例えば、下側光源１３は、発光ダイオードである。下側光源１３は、筐体８の内部に設けられる。下側光源１３は、下側表示体１１の一側の奥に配置される。
【００２３】
上側反射体１４は、高反射材で形成される。上側反射体１４は、筐体８の内部に設けられる。上側反射体１４は、上側表示体１０の奥側に配置される。上側反射体１４において、一側の側面は、上側光源１２を支持する。上側反射体１４は、上側湾曲面を有する。上側湾曲面の一側は、上側表示体１０の一側から離れた位置に配置される。上側湾曲面の他側は、上側表示体１０の他側に隣接した位置に配置される。
【００２４】
下側反射体１５は、高反射材で形成される。下側反射体１５は、筐体８の内部に設けられる。下側反射体１５は、下側表示体１１の奥側に配置される。下側反射体１５において、一側の側面は、下側光源１３を支持する。下側反射体１５は、下側湾曲面を有する。下側湾曲面の一側は、下側表示体１１の一側から離れた位置に配置される。下側湾曲面の他側は、下側表示体１１の他側に隣接した位置に配置される。
【００２５】
次に、図３を用いて、ホールランタン７の要部を説明する。
図３は図２のＡ−Ａ線における断面の要部を示す断面図である。
【００２６】
図３に示されるように、上側反射体１４の一側の側面は、上側表示体１０に対して９０°以上の角度をつけて配置される。上側光源１２において、少なくとも発光部は、上側反射体１４の内部に配置される。
【００２７】
この状態において、上側光源１２の発光部は、上側表示体１０の方向とは異なる方向に光を発する。具体的には、上側光源１２の発光部は、上側湾曲面に向けて光を発する。上側湾曲面は、当該光を効率よく反射する。この際、上側湾曲面は、自らの曲率に応じて当該光の反射方向を制御する。その結果、当該光は、均一化された状態で上側表示体１０に向かう。その後、当該光は、均一化された状態で上側表示体１０を透過する。その結果、上側表示体１０の輝度は、均一となる。
【００２８】
図示されないが、下側反射体１５の一側の側面は、下側表示体１１に対して９０°以上の角度をつけて配置される。下側発光体において、少なくとも発光部は、下側反射体１５の内部に配置される。
【００２９】
この状態において、下側光源１３の発光部は、下側表示体１１の方向とは異なる方向に光を発する。具体的には、下側光源１３の発光部は、下側湾曲面に向けて光を発する。下側湾曲面は、当該光を効率よく反射する。この際、下側湾曲面は、自らの曲率に応じて当該光の反射方向を制御する。その結果、当該光は、均一化された状態で下側表示体１１に向かう。その後、当該光は、均一化された状態で下側表示体１１を透過する。その結果、下側表示体１１の輝度は、均一となる。
【００３０】
以上で説明した実施の形態１によれば、上側反射体１４は、上側光源１２が発した光を湾曲面で反射して上側表示体１０に照射させる。下側反射体１５は、下側光源１３が発した光を湾曲面で反射して下側表示体１１に照射させる。このため、光を効率よく分散させることができる。ホールランタン７において、部品点数が少なくても、光のむらを抑制することができる。また、小型で安価なホールランタン７を提供することができる。
【００３１】
また、上側光源１２は、上側表示体１０とは異なる方向に光を発する。例えば、上側反射体１４の一側の側面が上側表示体１０に対して９０°の角度をつけて配置される場合、上側光源１２は、上側表示体１０の裏面に沿った方向に光を発する。下側光源１３は、下側表示体１１とは異なる方向に光を発する。例えば、下側反射体１５の一側の側面が下側表示体１１に対して９０°の角度をつけて配置される場合、下側光源１３は、下側表示体１１の裏面に沿った方向に光を発する。このため、ホールランタン７を薄くすることができる。
【００３２】
また、上側反射体１４は、高反射材で形成される。下側反射体１５は、高反射材で形成される。このため、上側反射体１４の反射率と下側反射体１５の反射率とを上げることができる。その結果、上側表示体１０の輝度と下側表示体１１の輝度とを上げることができる。
【００３３】
なお、複数の表示体を水平方向に並べてもよい。また、間隔をあけて複数の表示体を並べてもよい。さらに、１つの表示体のみでもよい。
【００３４】
また、反射体に対し、光を効率よく反射するように表面処理をしてもよい。
【００３５】
また、上側反射体１４の外側に上側光源１２を配置させてもよい。下側反射体１５の外側に下側光源１３を配置させてもよい。
【００３６】
また、上側反射体１４の奥において上側反射体１４よりも上方または下方に上側光源１２を配置させてもよい。下側反射体１５の奥において下側反射体１５よりも上方または下方に下側光源１３を配置させてもよい。
【００３７】
実施の形態２．
図４は実施の形態２におけるエレベーターの発光器具としてのホールランタンの斜視図である。なお、実施の形態１の部分と同一又は相当部分には同一符号が付される。当該部分の説明は省略される。
【００３８】
実施の形態２において、第１壁１６ａと第２壁１６ｂとは、互いに角度をつけて連結される。例えば、第１壁１６ａと第２壁１６ｂとは、直交する。
【００３９】
表示体１７は、第１壁１６ａと第２壁１６ｂとに対応して設けられる。表示体１７は、第１壁１６ａと第２壁１６ｂとの交わり部に設けられる。具体的には、表示体１７は、第１表示部１７ａと第２表示部１７ｂとを備える。
【００４０】
第１表示部１７ａと第２表示部１７ｂとは、連続的に形成される。第１表示部１７ａと第２表示部１７ｂとは、平面状に形成される。第１表示部１７ａと第２表示部１７ｂとは、互いに角度をつけて連結される。第１表示部１７ａと第２表示部１７ｂとは、直交する。第１表示部１７ａは、第１壁１６ａに対応して設けられる。第２表示部１７ｂは、第２壁１６ｂに対応して設けられる。
【００４１】
次に、図５を用いて、ホールランタン７の要部を説明する。
図５は図４のＢ−Ｂ線における断面の要部を示す断面図である。
【００４２】
図５に示されるように、光源１８は、第１表示部１７ａの奥側において第２表示部１７ｂとは反対側に配置される。光源１８において、少なくとも発光部は、反射体１９の内部に配置される。
【００４３】
この状態において、光源１８の発光部は、反射体１９の湾曲面に向けて光を発する。湾曲面は、当該光を効率よく反射する。この際、湾曲面は、自らの曲率に応じて当該光の反射方向を制御する。その結果、当該光は、均一化された状態で第１表示部１７ａと第２表示部１７ｂとに向かう。その後、当該光は、均一化された状態で第１表示部１７ａと第２表示部１７ｂとを透過する。その結果、第１表示部１７ａの輝度と第２表示部１７ｂの輝度とは、均一となる。
【００４４】
以上で説明した実施の形態２によれば、反射体１９は、光源１８が発した光を湾曲面で反射して第１表示部１７ａと第２表示部１７ｂとに照射させる。このため、第１表示部１７ａと第２表示部１７ｂとにおいて、光のむらを抑制することができる。
【００４５】
なお、光源１８が発した光を反射体１９の湾曲面で反射させて３個以上の表示部に照射させてもよい。この場合、３個以上の表示部において、光のむらを抑制することができる。
【００４６】
実施の形態３．
図６は実施の形態３におけるエレベーターの発光器具としてのホールランタンの斜視図である。なお、実施の形態１の部分と同一又は相当部分には同一符号が付される。当該部分の説明は省略される。
【００４７】
実施の形態３において、表板２０は、実施の形態１の表板９とほぼ同じである。表示体２１は、実施の形態１の上側表示体１０または下側表示体１１とほぼ同じである。
【００４８】
次に、図７を用いて、ホールランタン７の要部を説明する。
図７は図６のＣ−Ｃ線における断面の要部を示す断面図である。
【００４９】
図７に示されるように、光源２２は、表示体２１の奥側において表示体２１よりも上方に配置される。光源２２において、少なくとも発光部は、反射体２３の内部に配置される。反射体２３は、複数の湾曲部２３ａを備える。複数の湾曲部２３ａの曲率は、互いに異なる。
【００５０】
この状態において、光源２２の発光部は、複数の湾曲部２３ａに向けて光を発する。複数の湾曲部２３ａは、当該光を効率よく反射する。この際、複数の湾曲部２３ａは、自らの曲率に応じて当該光の反射方向を制御する。その結果、当該光は、均一化されない状態で表示体２１に向かう。その後、当該光は、均一化されない状態で表示体２１を透過する。その結果、表示体２１の輝度は、均一とならない。
【００５１】
以上で説明した実施の形態３によれば、反射体２３において、複数の湾曲部２３ａの曲率は、互いに異なる。このため、光の反射方向と光量を変化させることができる。その結果、表示体２１の輝度を部分的に任意に変更することができる。例えば、表示体２１の輝度にグラデーションをつけることができる。
【００５２】
例えば、湾曲部２３ａの曲率が小さいときは集光される光量が少なく、表示体２１において、対応した箇所の輝度を小さくすることができる。これに対し、湾曲部２３ａの曲率が大きいときは集光される光量が多く、表示体２１において、対応した箇所の輝度を大きくすることができる。
【００５３】
例えば、湾曲部２３ａの曲率の調整することで、表示体２１において、設定された点に光を集めて、矢印、キャラクタ等に局所的に輝度の差を付けることができる。例えば、表示体２１において、設定された点を暗くすることができる。
【００５４】
実施の形態４．
図８は実施の形態４におけるエレベーターの発光器具としてのホールランタンの要部を示す断面図である。なお、実施の形態１の部分と同一又は相当部分には同一符号が付される。当該部分の説明は省略される。
【００５５】
図８に示されるように、上側光源１２の発光部は、上側表示体１０から離れる方向に光を発する。具体的には、上側光源１２の発光部は、上側反射体１４の平面に向けて光を発する。当該平面は、当該光を効率よく反射する。当該光は、上側表示体１０に向かう。その後、当該光は、上側表示体１０を透過する。この際、上側表示体１０の輝度には、グラデーションがつく。
【００５６】
図示されないが、下側光源１３の発光部は、下側表示体１１から離れる方向に光を発する。具体的には、下側光源１３の発光部は、下側反射体１５の平面に向けて光を発する。当該平面は、当該光を効率よく反射する。当該光は、下側表示体１１に向かう。その後、当該光は、下側表示体１１を透過する。この際、下側表示体１１の輝度には、グラデーションがつく。
【００５７】
以上で説明した実施の形態４によれば、上側反射体１４は、上側光源１２が発した光を平面で反射して上側表示体１０に照射させる。下側反射体１５は、下側光源１３が発した光を平面で反射して下側表示体１１に照射させる。このため、上側表示体１０と下側表示体１１との輝度において、グラデーションをつけることができる。その結果、ホールランタン７において、部品点数が少なくても、光のむらを抑制することができる。また、小型で安価なホールランタン７を提供することができる。
【００５８】
実施の形態１から実施の形態４のホールランタン７の構成を乗場またはかごに設けられた他の発光器具に適用してもよい。例えば、実施の形態１から実施の形態４のホールランタン７の構成を乗場ボタン６、インジケータ等に適用してもよい。これらの場合、当該発光器具において、光のむらを抑制することができる。
【符号の説明】
【００５９】
１  乗場、  ２  壁、  ３  乗場出入口、  ４  三方枠、  ５  乗場ドア、  ６  乗場ボタン、  ７  ホールランタン、  ８  筐体、  ９  表板、  １０  上側表示体、  １１  下側表示体、  １２  上側光源、  １３  下側光源、  １４  上側反射体、  １５  下側反射体、  １６ａ  第１壁、  １６ｂ  第２壁、  １７  表示体、  １７ａ  第１表示部、  １７ｂ  第２表示部、  １８  光源、  １９  反射体、  ２０  表板、  ２１  表示体、  ２２  光源、  ２３  反射体、  ２３ａ  湾曲部
【要約】
【課題】部品点数が少なくても、光のむらを抑制することができるエレベーターの発光器具を提供する。
【解決手段】エレベーターの発光器具は、エレベーターの乗場またはかごに設けられ、光を透過する材料で形成された表示体と、光を発する光源と、湾曲面を有し、前記光源が発した光を前記湾曲面で反射して前記表示体に照射させる反射体とを備えた。当該構成によれば、部品点数が少なくても、光のむらを抑制することができる。
【選択図】図３【図１】
0006958715.tif 000002
【図２】
0006958715.tif 000003
【図３】
0006958715.tif 000004
【図４】
0006958715.tif 000005
【図５】
0006958715.tif 000006
【図６】
0006958715.tif 000007
【図７】
0006958715.tif 000008
【図８】
0006958715.tif 000009